Podtech/llm-jp-corpus-v4-ja_patent huggingface dataset:
(57)【要約】      （修正有）【課題】免震建造物が、地震の際、その水平移動の円滑性が損なわれたとき、その反対側への浮上がりを防止する。【解決手段】建築物１の隣接地に穴２を堀削し、穴２のなかに重り３を置く。  建築物１の最上部と重り３を綱５で、建築物１が、敷台６の端部まで動いた位置で、綱５に弛みがないように連結する。【選択図】  図１
2007002404.tif 000002
【特許請求の範囲】
【請求項１】
免震建造物と他の物体を綱で弛みを持たせて繋いだ安全装置。
【発明の詳細な説明】
【０００１】
本発明は、国際出願中の特許  ＰＣＴ／ＪＰ９６／００３５７  及び  Ｕ．Ｓ．Ｐａｔｅｎｔ  ５，９６４，０６６「免震用基礎」を用いた建築物が、地震の際に、何らかの要素によりその円滑な水平移動が損なわれた（躓いた）とき、その反対側の浮き上がりを防止するために考え出されたもので、図１に示すように、建築物（１）（この図は高速道路の脚柱を描いたもの）の隣接地面に穴（２）を堀り、その穴（２）の中に錘り（３）を置く、そして、建築物（１）の最上部（４）（慣性による分離を防止するためには最上部が望ましい）と錘り（３）を綱（５）（金属性のものや鎖等の可変型のもの）で、建築物（１）が動いて敷台（６）の端まで行ったとき（点線の位置）に綱（５）に弛みがなくなるように（ピーンと張るように）繋いだもので、本来、敷台（６）は普段から油等を敷く等の手入れをしておくものなので、地震時に水平移動が損なわれることはないのだが、これは万が一を考えた安全策として考え出されたものである。なお、綱を地面に固定しないで、錘りを用いてそれに固定した理由は大きな力が働いた際の綱の切断を防止するためである。さて、綱を繋ぐ最上部は強い引っ張り力が働くので、その一部が剥がれないように構造上の配慮をしておくようにする。また、綱の強度や錘りの設置箇所、設置間隔、設置個数は建築物の水平移動が減速させられたときに発生する慣性力と使用する錘りの重量、建築物の有効対応重量に応じて適宜計算（力のモーメントの計算でよい）して決めてやるようにするが、基本設定としては例えば震度７程度に設定する場合は錘りの重量は建築物の有効対応重量の１／５０程度でよいであろう。
【産業上の利用分野】
【０００２】
免震建築
【従来の技術】
【０００３】
そのようなものがなかった
【発明が解決しようとする問題点】
【０００４】
免震用建築物の滑らかな水平移動が損なわれた場合の万が一の安全策
【課題を解決しようとする手段】
【０００５】
発明の詳細な説明で示したもの。
【実施例】
【０００６】
図１に示したもの。
【作用】
【０００７】
免震建築の普及。
【発明の効果】
【０００８】
実用性の増大
【図面の簡単な説明】
【図１】  建築物（１）と錘り（３）を綱（５）で繋いだ様子を示した形式的断面図
【符号の説明】
１−−−建築物
２−−−（１）の隣接地面に堀った穴
３−−−（２）の中に置く錘り
４−−−（１）の最上部
５−−−（３）と（４）を繋ぐ綱
６−−−敷台
【図１】
2007002404.tif 000003
(57)【要約】      （修正有）【課題】  設置面に段差があっても、レベル調整が簡単にできる脚立を提供する。【解決手段】  脚立の前脚の一方で、外側パイプに伸縮出来る内側パイプを挿入し、その内側パイプを外側パイプに取り付けたリングをネジで締め付けることにより、任意の長さに調整が可能な構造とする。  これにより、段差がある場所でも脚の伸縮が任意に調整出来、水平レベルが簡単に確保できる。そのため、安全かつ迅速に脚立を使用することが可能となる。【選択図】図１
2007002406.tif 000002
【特許請求の範囲】
【請求項１】
脚立を立てようとした時、地面が凸凹していると脚立を水平に立てる事が出来ないので図２の脚を伸び縮めて水平を保つ凹凸安全脚立
【発明の詳細な説明】
【技術分野】
【０００１】  本発明は、脚を伸び縮みして水平を保つ凸凹安全脚立に関する。
【背景技術】
【０００２】  従来の脚立は高いところを基準にして、低いところに合う高さの物を敷いて脚立の水平を作っていた。【０００３】  高いところに合わせようとしても、なかなか適当な物を見つけるのに時間がかかって仕事の能率が上がらない。【０００４】  脚立の足に隙ものをすると安定度が悪くなる。安定度が悪くなると安全性もわるくなる。【０００５】  従来の脚立は、水平レベルが保ちにくいため安全性や作業効上に劣るものであった。
【発明の開示】
【発明が解決しようとする課題】
【０００６】  作業中の安全性および作業能率の効上が図られる。【０００７】  本発明は、従来の課題解消のため、伸縮により水平レベルが維持出来ることを目的とする。
【課題を解決するための手段】
【０００８】  本発明は、上記目的を達成するために、３脚中のうち前脚の１脚の外側にリングを取り付け、内側の伸縮出来るパイプをネジにより締め付け、強固に固定出来る。
【発明の効果】
【０００９】  作業中の安全性および作業能率の効上が図られる。
【発明を実施するための最良の形態】
【００１０】  以下、本発明の実施形態を図１〜４に基づいて説明する。【００１１】  ３脚中の前脚の１脚にネジによる締め付けで、安全性が確保出来る。【００１２】  ３脚中の前脚の１脚に伸縮可能な構造とする。【００１３】  １の外側パイプに２の内側パイプが挿入される。【００１４】  １の外側に締め付け金具を取り付ける。【００１５】  ２のパイプは上部を少し細くしている。【００１６】  ネジによる締め付けができるよう、１のパイプの下をスリット構造にする。
【図面の簡単な説明】
【００１７】
【図１】  凸凹安全脚立
【図２】  Ａ（伸縮機構を備えた所）の拡大図
【図３】  Ａ（伸縮機構を備えた所）の断面図
【図４】  Ａ（伸縮機構を備えた所）の詳細図
【符号の説明】
【００１８】    １  伸縮の外側
２  伸縮の中柱
３  ナット
４  スプリング受け
５  ネジ山のついたシャフト
６  スプリング
７  締めたり緩めたりするハンドル
【図１】
2007002406.tif 000003
【図２】
2007002406.tif 000004
【図３】
2007002406.tif 000005
【図４】
2007002406.tif 000006
(57)【要約】【課題】  発芽玄米の乾燥、殺菌・殺黴、外皮破壊、酸化防止包装の複数工程を一工程ですますことにより製造コストの低下を可能にすること。【解決手段】  発芽玄米を合成樹脂の袋に入れ、マイクロ波加熱により米粒内外部を９０ないし１００度Cに昇温させ赤外線温度計により加温中の袋の温度を計測してマイクロ波の放射を加減し、米粒表面に付着した水分を蒸発乾燥させ、殺菌・殺黴を行うとともに米粒内部にある水分が高温の水蒸気となって噴出するときに外皮に無数の小孔をあけて破壊し、空気がその水蒸気により袋から追い出され、かつ米粒内の水分も所定量が排出された酸化防止状態になった後で袋の開口部を閉じて気密とする処理方法。    【選択図】なし【特許請求の範囲】
【請求項１】
発芽玄米を、気密性の合成樹脂の袋に入れ、その袋に開放部を設けた状態でマイクロ波加熱により米粒内を９０ないし１００度Cの温度に加熱昇温させ、袋内に発芽玄米内部より噴出した水蒸気が充満した後、袋の開放部を気密に閉じて、徐々に冷却させる処理方法。
【請求項２】
発芽玄米を９０ないし１００度Cに保つために、加熱中に赤外線温度計により袋の温度を連続的に遠隔計測し、１００度Cを上回ったときにマイクロ波放射を止め、９０度Cを下回ったときにマイクロ波放射を行う方法。
【発明の詳細な説明】
【技術分野】
【０００１】
本発明は発芽玄米の乾燥、殺菌・殺黴、外皮破壊、酸化防止真空包装を同時的に行う処理方法に関する。
【背景技術】
【０００２】
発芽玄米は外皮が硬いので、これを破壊して食べやすくする方法がとられることが多い。また、食味を落とさずに保存するための乾燥及び殺菌・殺黴を行うことが必要となり、酸化を防ぐ真空包装などの気密包装もしなければならない。しかし従来技術では殺菌・殺黴、乾燥、外皮破壊、酸化防止包装を食味の損なわれない状態で同時的に行うことができず複数の工程を経なければならなかった。従来技術において、発芽玄米の殺菌・殺黴、乾燥、外皮破壊に対し公知技術である焙煎という高温で煎る方法がある。しかし焙煎では酸化防止包装が出来ないので別工程となり、製造工程が複雑で手間のかかるものとなり製造原価低減の阻害要因になっていた。又、焙煎では米粒外部から内部へと熱伝達により加熱するため、内部なかんずく中心部を乾燥、殺菌・殺黴にたいし十分な程度に昇温するためには、米粒表面部を乾燥、殺菌・殺黴に対する適温をはるかに超えた高温に加熱せねばならないため外皮が焦げたり、表面に近い部分は過乾燥になって食味を損ねるという問題があった。又、高温水蒸気をあてて殺菌・殺黴を行う方法があるが、外皮破壊、乾燥、酸化防止包装はは同時には行われず別工程となって製造工程が複雑かつ手間のかかるものとなり、製造原価の低減に対する阻害要因になっていた。又、通風乾燥なる公知の技術は高温空気を発芽玄米にあてて乾燥させる方法であるが、空気と米粒の間の熱伝達率が低いので処理に長い時間がかかるということのほか外皮破壊、酸化防止包装を同時にはできないので、工程の数が増え原価低減に対する阻害要因になっていた。真空ポンプで包装袋内部の空気を吸引して包装するという公知技術もあるが、単に酸化防止包装だけの工程しかできず、乾燥、殺菌・殺黴、外皮破壊の複数の工程が必要になり、製造原価の低減をはかることができなかった。
【特許文献１】特公３４２３９２７公報
【特許文献２】特公３６４５８６０公報
【発明の開示】
【発明が解決しようとする課題】
【０００３】
解決しようとする課題は発芽玄米を乾燥させること、米粒の硬い外皮を破壊すること、殺菌・殺黴に十分で食味を損ねない温度である９０ないし１００度Cに米粒全体を昇温させること、酸化を防ぐために空気を追い出して気密包装すること、を同時に行うことで製造原価を低減することである。
【課題を解決するための手段】
【０００４】
発芽玄米をナイロンなど合成樹脂の袋に入れ、開放部を一ないし複数箇所もうけてマイクロ波加熱により米粒内外部を９０ないし１００度Cに昇温させ赤外線温度計により加温中の袋の温度を計測してマイクロ波の放射を加減し、米粒表面に付着した水分を蒸発乾燥させ、殺菌・殺黴を行うとともに米粒内部にある水分が高温の水蒸気となって噴出するときに外皮に無数の小孔をあけて破壊し、空気がその水蒸気により袋から追い出され、かつ米粒内の水分も所定量が排出された酸化防止状態になった後で袋の開口部を閉じて気密とし、袋内に残った水蒸気を放置による自然冷却により徐冷して再び米粒内に吸収して内部を真空とするものである。密閉時に袋内に残る空気はわずかであるから徐冷により米粒内に再吸収される特性を利用する。
【発明の効果】
【０００５】
この発明により、食味を損ねることなく、発芽玄米の乾燥、殺菌・殺黴、外皮破壊、酸化防止包装の複数工程を一工程ですますことができ、製造コストの低下が可能になった。
【実施例】
【０００６】
ローラーコンベヤによってマイクロ波放射ステージ上に運ばれたナイロン袋内に入れられた発芽玄米はマイクロ波放射ガンにより加熱される。このときステージは降下した遮蔽板により囲まれている。遮蔽板にはガラス窓があって赤外線温度計によりナイロン袋の温度を遠隔計測できるようにされている。所定時間の加温が終了し、遮蔽板を上方に揚げると、電熱式密封装置の加熱部が伸びて袋の開口部を密封する。人力でマイクロ波放射ステージから徐冷台に移されて自然冷却される。
(57)【要約】【課題】  一般家庭等でペット等を飼う場合、排泄物は毎日始末する必要があり、飼主は日常的に相当の負担を負っている。これらペット等のトイレに関しては、ペット等が通常の便器にアプローチするための案内がないので、ペット用トイレの自動化への転換を図れないままとなっている。【解決手段】  ペット等が自然に歩行する過程で用便ができる案内を従来の自動洗浄装置付きの便器の上に付設することにより、ペット等が自ら自由に用便をすることができるようにするとともに、排泄物も自動的に処理する。これにより、ペット等の飼主は、排泄物の始末という日々の負担から解放され、ペット等が一層飼い易くなる。また、公園などに設置することにより、ペット等の糞尿公害を無くし、清潔な環境を提供することができる。【選択図】  図３
2007306826.tif 000002
【特許請求の範囲】
【請求項１】
トイレの便器上に、ペット等が自然に歩行することができ、かつ、中心部が排泄物の落下口となっている踏板及び側板を設けることにより、ペット等が自由に用便を行うことができるようにした案内。
【請求項２】
請求項１の案内に適合する形状を有し、かつ、ペット等の排泄物を自動的に洗浄できるように既存の自動洗浄装置を付設した便器。
【発明の詳細な説明】
【技術分野】
【０００１】
本発明は、一般家庭等において、ペット等に自由に用便をさせるための案内及び便器に関する。  
【背景技術】
【０００２】
一般家庭等でペット等を飼う場合、排泄物は毎日始末する必要があり、家庭または戸外のいずれかで用便をさせる場合も、飼主は日常的に相当の負担を負っている。
【０００３】
一方、人の場合、トイレタリーの進展により、自動洗浄装置等が普及し、衛生的にも向上するとともにその便益も享受している。
【０００４】
しかし、ペット等のトイレについては、単に排泄物の落下口を設けたり、シーツなど排泄物の処理具等を提供するに留まっており、ペット等が通常の便器にアプローチするための案内がないので、ペット用トイレの自動化への転換を図れないままになっている。
【０００５】
このため、ペット等が自然に便器にアプローチできる案内を提供することにより、ペット等の用便について自動化を推し進める必要がある。
【発明の開示】
【発明が解決しようとする課題】
【０００６】
ペット等に通常の便器を用いて用便させる場合の課題は、ペット等の多くが四足歩行をしていることから、ペット等自身において落下口に排泄するための位置を定めることが難しい点にある。
【０００７】
この課題を解決するため、ペット等が自然に歩行する過程で用便ができ、かつ、ペット等の体の方向を一定にして落下口に正確に排泄できるようにした案内を設け、これを既存の自動洗浄装置の付いた便器に付設することにより、ペット等が自然にトイレにアプローチできるようにするとともに、排泄物も自動的に洗浄する。
【課題を解決するための手段】
【０００８】
本発明は、上記の課題を解決するために、ペット等が自然に歩行できるように二列の踏板を設け、この両側に沿って側板を立てることにより、ペット等の体の方向が一定の方向になるようにしている。これにより、ペット等は用便に当たり、上記二列の踏板のどの位置にいても中間部にある落下口に正確に排泄することができる。
【０００９】
また、本案内は、ペット等は二方のどちらからでも自然に歩行しながら自由に入ることができ、そのまま通り抜けることができるようになっている。
【００１０】
上記案内をトイレの自動洗浄装置を装着した便器の上に付設することにより、ペット等が退出した後は自動洗浄装置を起動させることにより排泄物を自動的に処理することができる。
【発明の効果】
【００１１】
本発明により、ペット等の飼主は排泄物の始末という日々の負担から解放されるとともに、ペット等にとっても、自然に歩行する過程で自由に用便ができるようになり、人との快適な関係を構築することができる。  
【００１２】
また、これからの高齢化社会に向けて、ますますペット等が増加することが予想されるが、一方で、これらペット等との共同生活をしていくうえで課題となってくる飼主のペット等に対する用便の負担を軽減することにより、ペット等が一層飼い易くなる。
【００１３】
更に、ペット等の用便は、本来は飼主の自宅で済ませるべきものであるが、多くの家庭等では戸外でさせている現状から、本発明を公園などの公共施設に設置することにより、ペット等による糞尿公害を無くし、清潔な環境を提供することができる。
【００１４】
なお、本発明においては、その最適の効果として、案内と自動洗浄装置を装着した便器の組合せを想定しているが、本発明の案内は便器を簡易なものとするなどして、本件以外のペット用トイレにおいても応用することができる。
【発明を実施するための最良の形態】
【００１５】
本件ペット用トイレの案内及び便器について、図面を参照しながら説明する。
【００１６】
図１は本件ペット用トイレの案内及びこれを便器の上に付設した俯瞰図である。
【００１７】
案内は１の側板及び２の踏板よりなる。踏板２は図２の正面図及び図３の側面図のとおり、四足動物が自然に歩行できる間隔の二枚の踏板よりなっており、その中間部は排泄物の落下口となっている。
【００１８】
便器３は案内に合せた規格のサイズになっており、図３の５に自動洗浄装置の注水口が、図２及び図３の６に排出口がそれぞれ設けられている。
【００１９】
側板１に付設する４は、水洗のためのペット等の自動認識装置で、図２及び図３のとおり、ペットが踏板上にくると認識し、洗浄装置が入力されるようになっており、ペットが用を足して退出すると、自動的に起動して注水口５から洗浄水が放出され、便器に溜まった排泄物は排出口６を通って流下する。
【図面の簡単な説明】
【００２０】
【図１】本件ペット用トイレの案内及びこれを便器の上に付設した俯瞰図
【図２】本件ペット用トイレの案内及びこれを便器の上に付設した正面図
【図３】本件ペット用トイレの案内及びこれを便器の上に付設した側面図
【符号の説明】
【００２１】
１  案内の側板
２  案内の踏板
３  便器
４  水洗のための自動認識装置
５  注水口
６  排出口
【図１】
2007306826.tif 000003
【図２】
2007306826.tif 000004
【図３】
2007306826.tif 000005
(57)【要約】【課題】ソマチット成分と、ソマチットが活性化するために必要なマイナスイオンや水素イオン発生の起因源となる複数種類のミネラル成分が、別々に存在することで、効率的なソマチットの活性化ができなかった。【解決手段】ソマチット活性化を効率的に実現するために、ソマチット成分と、ソマチットが活性化するために必要なマイナスイオンや水素イオン発生の起因源となる複数種類のミネラル成分を混合することで、課題を解決できる。【選択図】無し【特許請求の範囲】
【請求項１】
ソマチッドもしくはソマチット（呼称が統一されていないが、本書では以下ソマチットと称する）以下を含む物質と、ソマチットが活性化するために必要なマイナスイオン又は水素イオンを発生させるための起因源となる、複数種類のミネラル成分を含有する物質を、混合すること。
【発明の詳細な説明】
【技術分野】
【０００１】
ソマチットは自然界の生物に共生するものなので、本発明は、生物を育てたり成長や生命維持に関与する、農業・林業・畜産業・養鶏業・水産業・医療・食品産業に属する。
【背景技術】
【０００２】
これまでの技術では、ソマチット成分と、ソマチットを活性化するための起因物質である複数種類のミネラル成分とを別々に使用していた。例えば農業では、ソマチットを含有する石灰質類の、蛎殻肥料、蛎殻飼料、貝化石、と、複数種類のミネラル成分を有する炭や鉱物類である、炭粉、バミキュライト、パーライトという状態である。
【発明の開示】
【発明が解決しようとする課題】
【０００３】
ソマチットは、地球上の全ての生物中に存在する超微少共生生命体であるが、全ての生物が健全で良好に生命維持する条件として、ソマチットが生物の中で活性化している必要性がある。しかしながらソマチット自体は、自分だけで活性化できない。活性化の条件として、ソマチットのエネルギー源となるマイナスイオン又は水素イオンが必要となる。マイナスイオンや水素イオンは、複数種類のミネラル成分が水分に関与して発生される。しかしながら従来の技術によれば、ソマチット成分と、複合ミネラル成分が別々に使われるため、ソマチット活性化の条件を整えることが難しかった。
そこで本発明では、ソマチット成分と、ソマチット活性化のエネルギー源となる複数種類のミネラル成分とを一緒に存在させることで、ソマチットの活性化を実現することを課題とした。
【非特許文献１】宗像久男福村一郎共著「ソマチットの謎」２００４年冬青社
【課題を解決するための手段】
【０００４】
以上の課題を解決するために、ソマチット成分を含有する石灰質類と、ソマチットを活性化させるためのマイナスイオン及び水素イオンを発生させる起因物質である複数種類のミネラル成分を含有する物質とを混合することで、これまでの課題を解決したものである。
【発明の効果】
【０００５】
近代農業の現場では、農作物が生育に必要な栄養素を土壌中から吸い上げているにもかかわらず、消失した成分を土壌中に戻しているのは、その多くが化学肥料による窒素・リン酸・カリと石灰類に含まれるカリウムやカルシウムに限られてきた。その結果、土壌中の様々なミネラル成分の不足により、それが吸収できなくなった作物中のソマチットの活性化を低下させていた。さらにミネラル成分が低下している上にソマチットの活性化が低下した作物を人間が食べても、同じように人間の体内のソマチットも活性化できない。しかし、本発明による混合物を施すことによって、ソマチットが活性化した健全な農作物の生育に貢献するだけでなく、それを食する人間の健康にも改善をもたらすことになり、ひいては国の医療費にまで貢献度は広がる。
【０００６】
動物類が飼料として本発明の混合物を摂取することにより、体内でソマチットとその活動源であるミネラル成分が一緒に働きソマチットが活性化し、さらにミネラル成分が生物体内の酵素類にも働きかけ、動物の健康状態に多大に貢献することになる。また食物連鎖上こうした動物類を食事として摂る人間にも、質の良い食事を提供することになり、国民の健康的な生活や、国の医療費にまで、貢献することが出来る。
【発明を実施するための最良の形態】
【０００７】
ソマチット成分を含有する貝殻類や化石類を砕いたものと、従来からある粒状の炭、もしくはバーミキュライト、もしくはパーライトを、攪拌混合する。
「実施形態の効果」
この実施形態によれば、袋詰めの上運搬、もしくはダンプに積載して運搬し、必要とする現場へ持ち込み、これまで使用していた肥料や土壌改良材、飼料と全く同じ状態で使用することが出来、特に新たな設備投資や余分な労力がかからずに、本発明による効果を具体的に実現できる。
【０００８】
「他の実施形態」
複数種類のミネラル成分がイオン化され液状になっている製品が、流通している。この液体の中にソマチット成分を含有する貝殻類や化石類を溶解させることでも、本発明の効果が得られる。
【産業上の利用可能性】
【０００９】
本発明による混合物を、肥料もしくは土壌改良材として、田畑の農作物に用いた場合、農作物がミネラル成分とソマチット成分を一緒に吸収し、体内で効率的にマイナスイオンもしくは水素イオンを生成し、ソマチットの活性化に寄与し、結果として作物の健全な生育に貢献出来る。これらは同じ植物の生育のため、林業でも応用できる。
【００１０】
畜産や養鶏では、同様に本技術による混合物を動物や鶏に飼料として与えることで、体内で効率的にマイナスイオンもしくは水素イオンを継続生成させ、ソマチットの活性化に寄与し、豚や牛や鶏や鶏の産む卵の品質を良くすることに大きく貢献できる。
【００１１】
イオン化された液状の複数種類のミネラル成分とソマチット含有物を混合したものは、魚類の水槽や養殖池の水中に使用でき、水中で効率的にマイナスイオンもしくは水素イオンを発生させ、そこに飼育される魚類がその水分を体内に取り込むことで、ソマチットの活性化に寄与し、結果として飼育魚の品質維持に貢献出来る。
【００１２】
人間の健康を維持する食品として、イオン化された複数種類のミネラル成分の混合物とソマチット含有物を混合したものを摂取することで、体内で効率的にマイナスイオンもしくは水素イオンを継続生成させ、ソマチットの活性化に寄与し、結果として人間の健康維持に貢献出来る。同時に二次的な効果として、農地で不足するため農作物中から減少するミネラル成分を補い、体内酵素の代謝にも寄与するので、本来の生命維持機能にも寄与するので、医療や健康食品として応用可能となり、さらに、犬や猫などのペットや、鶏や豚や牛などの養鶏・畜産など、動物の健康にも大きく貢献できる。
(57)【要約】【課題】  スズメバチを駆除するとき、安全で費用が抑えられるように棒の一端に粘着物を設けた黒い色をつけた板を設け、棒の板を設けていない一端を尖らせ、棒の尖った一端を地面に挿すか、させない場所では尖った一端を挿入する穴を設けた台の穴に挿入するスズメバチ駆除器を提供する。【解決手段】 棒（１）の一端に粘着物（２）を設けた黒い色をつけた板（３）を設け、棒（１）の板（３）を設けていない一端を尖らせ、棒（１）の尖った一端を地面に挿すか、挿せない場所では尖った一端を挿入する穴を設けた台の穴に挿入するスズメバチ駆除器を特徴とする。【選択図】図１
2007306823.tif 000002
【特許請求の範囲】
【請求項１】
棒(１)の一端に粘着物を設けた黒い色をつけた板（３）を設け、棒（１）の板（３）を設けていない一端
を尖らせ、棒（１）の尖らせた一端を地面に挿すかまたは挿入する穴を設けた台（４）に挿入するスズメバ
チ駆除器
【発明の詳細な説明】
【技術分野】
【０００１】
本発明はスズメバチの巣や出入り口に設置することによって自動的にスズメバチを駆除するようにしたス
ズメバチ駆除器に関するものである。
【背景技術】
【０００２】
従来スズメバチ駆除には大量の殺虫剤を使い直接巣に殺虫剤を噴霧していた。
【特許文献１】特開２００４-１０５０９２号公報
【発明の開示】
【発明が解決しようとする課題】
【０００３】
これには次のような欠点があった。従来、スズメバチ駆除には大量の殺虫剤を使い費用が掛かる。直接巣
に噴射しなければならないため、巣に人が接近しなければならず危険である。屋根の中などに巣を作られた
場合家を壊すことがあり不経済である。本発明は以下のような欠点を無くすためになされたものである。
【課題を解決するための手段】
【０００４】
棒（１）の一端に粘着物（２）を設けた黒い色をつけた板（３）を設け、棒（１）の板（３）を設けてい
ない一端を尖らせ、棒（１）の尖った一端を地面に挿すかまたは挿入する穴を設けた台（４）に挿入する。
本発明は、以上の構成によりなるスズメバチ駆除器である。
【発明の効果】
【０００５】
板をスズメバチの巣や出入り口に接近させるとスズメバチは黒いものに攻撃する習性があるため粘着物に
つく。板から落ちても、粘着物によって飛行できないため、攻撃力が無くなる。殺虫剤を大量に使用する必
要がないため費用をおさえられる。棒で接近させるため人が直接巣や出入り口に近づく必要がないため安全
である。棒をそのまま設置し、人は離れることができるためスズメバチに攻撃される危険がないため安全で
ある。板をそのまま巣や出入り口に設置すれば成虫を捕らえつづけるため、中の幼虫やさなぎは全滅するの
で家の中に巣をつくられても家一部を破損する必要がない。
【発明を実施するための最良の形態】
【０００６】
以下、発明を実施するための最良の形態について説明する。
板（３）に黒い色を設け、粘着物を設ける。
板（３）を棒（１）の一端に固定する。
板（３）のついていない一端を尖らせる。
台（４）に棒（１）の尖った部分を挿入する穴を設ける。
本発明は以下のような構造で、これを使用するときは棒（１）と一体となった板（３）をスズメバチの巣や
出入り口に近づけスズメバチに攻撃させ、棒（１）尖った部分を地面に挿すか、挿せない場所では台の穴に
尖った部分を挿入し固定すればいい。
【図面の簡単な説明】
【０００７】
【図１】本発明の斜視図である。
【符号の説明】
【０００８】
１、棒
２、粘着物
３、黒く塗った板
４、台
【図１】
2007306823.tif 000003
(57)【要約】【課題】突極型回転子の回転による風切り抵抗を少なくし機械損の低減が可能な回転電機の回転子を提供する。【解決手段】回転軸上に設けられ複数の突極部を形成する回転子鉄心と、回転子鉄心の突極部に巻回される回転子巻線とからなる回転電機の回転子において、突極型回転子の隣接する突極部間が埋るように詰め物を挿入固定しており、全体として円筒型回転子と同様の形状となるので、回転による風切り抵抗を少なくし機械損の低減が可能な回転電機の回転子を提供できる。【選択図】図１
2007306750.tif 000002
【特許請求の範囲】
【請求項１】
回転軸上に設けられ複数の突極部を形成する回転子鉄心と、前記回転子鉄心の突極部に巻回される回転子巻線とからなる回転電機の回転子において、前記突極型回転子の隣接する突極部間が埋るように詰め物を挿入固定することを特徴とする回転電機の回転子。
【請求項２】
請求項１記載の回転電機の回転子において、前記詰め物はボルト等の固定手段で固定することを特徴とする回転電機の回転子。
【請求項３】
請求項１記載の回転電機の回転子において、前記突極型回転子の隣接する突極部間に硬化性樹脂を充填してなることを特徴とする回転電機の回転子。
【発明の詳細な説明】
【技術分野】
【０００１】
本発明は、回転電機の回転子に係わり、特に突極型回転子の機械損を改善する回転電機の回転子の構造に関する。
【背景技術】
【０００２】
従来の回転電機の回転子を図５の部分断面図を参照して説明する。  
図５に示すように、従来の回転電機の回転子は、回転軸上に設けられ複数の突極部を形成した回転子鉄心３と、回転子鉄心３の突極部に巻回される回転子巻線４と、この回転子巻線４を絶縁材６を介してコイルブラケット５を配置し、回転子巻線４と絶縁材６とコイルブラケット５を回転子鉄心３に固定するボルト７等の固定手段とから構成されている。８は座金、９はねじ穴である（特許文献１参照）。
【特許文献１】特開平１０−２５７７０３号公報
【発明の開示】
【発明が解決しようとする課題】
【０００３】
しかしながら、前記の従来の回転電機の回転子は、隣接する突極部間に配置された固定手段で固定された絶縁材が回転子の径と同一でなく、回転子形状が全体として円筒形ではないため、回転子が回転することにより風切り損失が発生している。
【０００４】
本発明は、上記事情に鑑みてなされたもので、その目的は、突極型回転子において、回転子の回転による風切り抵抗を少なくし機械損の低減が可能な回転子を提供することにある。
【課題を解決するための手段】
【０００５】
上記目的を達成するために、請求項１記載の発明は、回転軸上に設けられ複数の突極部を形成する回転子鉄心と、前記回転子鉄心の突極部に巻回される回転子巻線とからなる回転電機の回転子において、前記突極型回転子の隣接する突極部間が埋るように詰め物を挿入固定することを特徴とする。
【０００６】
請求項２記載の発明は、請求項１記載の回転電機の回転子において、前記詰め物はボルト等の固定手段で固定することを特徴とする。  
請求項３記載の発明は、請求項１記載の回転電機の回転子において、前記突極型回転子の隣接する突極部間に硬化性樹脂を充填してなることを特徴とする。
【発明の効果】
【０００７】
本発明によれば、全体として円筒型回転子と同様の形状となるので、回転による風切り抵抗を少なくし機械損の低減が可能な回転子を提供することができる。
【発明を実施するための最良の形態】
【０００８】
以下、本発明を実施する最良の形態を図を参照して説明する。  
図１は、本発明の第１の実施形態である回転電機の回転子の側面図、図２は図１のＡ−Ａ線に沿う部分断面図である。
【０００９】
図に示すように、本実施形態の回転電機の回転子は、回転軸１上に設けられた複数の突極部を形成する回転子鉄心３と、この回転子鉄心３に巻回された回転子巻線４とから構成されており、隣接する突極部間には絶縁材１０が挿入して固定されている。また、回転軸１上には通風ファン２が取り付けられている。５はコイルブラケットである。
【００１０】
次に本実施形態の作用について説明する。  
隣接する突極部間に絶縁物１０を挿入することにより全体として円筒型回転子と同様の形状となる。これにより、突極型回転子において、回転子の回転による風切り抵抗を少なくし機械損の低減が可能な回転子を提供することができる。
【００１１】
また、本実施形態の変形例として絶縁物及び回転軸極間部に取り付けボルト用の穴明け加工を施し、ボルトにて固定する構造とすることにより本実施形態と同等の効果を得ることができる。
【００１２】
図３は、本発明の第２の実施形態である回転電機の回転子の部分断面図である。  
図に示すように、本実施形態では絶縁材１０の固定手段にボルト１１を使用している。すなわち、隣接する突極部間に挿入した絶縁物１０と回転子巻線４と回転子鉄心３を貫通する穴を形成しておき、さらに回転子鉄心３の穴はねじ穴９とする。この穴にボルト１１を座金８を介して挿入螺合して絶縁材１０を回転子鉄心３に固定する。それ以外の構成は第１の実施形態と同様に構成されている。
【００１３】
本実施形態は隣接する突極部間に絶縁物１０を挿入することにより全体として円筒型回転子と同様の形状となるので、第１の実施形態と同様に突極型回転子の回転による風切り抵抗を少なくし機械損の低減が可能となる。また、絶縁物１０はボルト１１により機械的に強固に回転子鉄心３に固定される。
【００１４】
さらに、第１の実施形態及び第２の実施形態の変形例として回転子鉄心及び回転子巻線を回転軸上に固定した後に、回転子極間部に硬化性の樹脂を流し込むことにより第１の実施形態及び第２の実施形態と同様の効果を得ることができる。
【００１５】
図４は、本発明の第３の実施形態である回転電機の回転子の部分断面図である。  
図に示すように、本実施形態では絶縁材に硬化性樹脂１２を使用している点が第１の実施形態と異なり、それ以外の構成は第１の実施形態と同様に構成されている。  
したがって、本実施形態は、第１の実施形態及び第２の実施形態と同様の効果を得ることができる。
【図面の簡単な説明】
【００１６】
【図１】本発明の第１の実施形態の側面図。
【図２】図１のＡ−Ａ線に沿う部分断面図。
【図３】本発明の第２の実施形態の部分断面図。
【図４】本発明の第３の実施形態の部分断面図。
【図５】従来の回転電機の回転子の部分断面図。
【符号の説明】
【００１７】
１…回転軸、２…通風ファン、３…回転子鉄心、４…巻線、５…コイルブラケット、６…絶縁材、７…ボルト、８…座金、９…ねじ穴、１０…絶縁材、１１…ボルト、１２…硬化性の樹脂。
【図１】
2007306750.tif 000003
【図２】
2007306750.tif 000004
【図３】
2007306750.tif 000005
【図４】
2007306750.tif 000006
【図５】
2007306750.tif 000007
(57)【要約】【課題】  納豆をネバネバした粘液状物質が生成するまでかき混ぜ続け、次に、たれと辛子とを加え再びかき混ぜ下味をつけ、さらに、こしあんと適量の水とを加えて全体をよくかき混ぜ、最後に、全部をミルサー等に入れ、納豆の粒をつぶしかつ全体がクリーム状になるまでかくはんした納豆加工食品を提供する。【解決手段】  納豆をよくかき混ぜ、ネバネバした粘液状物質を生成させ、次に、しょう油味のたれと少量の辛子とを加え、たれと辛子が全体にむらなく溶けこむまで再びかき混ぜ下味をつけ、さらに、甘みをつけ粘りを和らげるためのこしあんと適量の水とを加え、全体をよくかき混ぜ、最後に、全部をミルサー等に入れ、納豆の粒をつぶしかつ全体がクリーム状になるまでかくはんした納豆加工食品。【特許請求の範囲】
【請求項１】
納豆をよくかき混ぜ、ネバネバした粘液状物質を生成させ、次に、しょう油味のたれと少量の辛子とを加え、たれと辛子が全体にむらなく溶けこむまで再びかき混ぜ下味をつけ、さらに、甘みをつけ粘りを和らげるためのこしあんと適量の水とを加え、全体をよくかき混ぜ、最後に、全部をミルサー等に入れ、納豆の粒をつぶしかつ全体がクリーム状になるまでかくはんした納豆加工食品。
【発明の詳細な説明】
【技術分野】
【０００１】  本発明は、納豆を、ネバネバした粘液状物質が生成するまでかき混ぜ続け、次に、たれと辛子とを加え再びかき混ぜ下味をつけ、さらに、甘みをつけたこしあん（以下、これを単にこしあんと呼ぶ）と適量の水とを加えて全体をよくかき混ぜ、最後に、全部をミルサー等に入れ、納豆の粒をつぶしかつ全体がクリーム状になるまでかくはんした納豆加工食品に関するものである。
【背景技術】
【０００２】  従来、納豆を食事のおかずとしてではなく、いつでもどこでも食べられ、かつ納豆特有の粘りや臭いを押さえて食べやすくした納豆加工食品として、減圧フライ法を施した乾燥納豆や天日乾燥後味付けしたほし納豆がすでに商品化されている。
【発明の開示】
【発明が解決しようとする課題】
【０００３】  乾燥納豆の最大の問題点は、ドライスナックという商品コンセプトでは需要が限定され、今後も需要の伸びが望めない点にある。
確かに、酒のつまみとしてまた旅行などの携行用としては、便利であり、健康食品としても利用価値は高い。
それら以外の需要となると多くは望めず、特殊な納豆加工食品にとどまっているのが現状である。
本発明はこの課題を解決するために発明されたものである。
【課題を解決するための手段】
【０００４】  納豆をほぐしてから、うまみ成分と甘み成分を十分に引き出すために、よくかき混ぜ、納豆の引く糸が互いに溶け合った、ネバネバした粘液状物質を生成させる。
粘液状物質は、納豆に含まれている納豆菌の代謝による生成物で、納豆菌のこの代謝は、納豆菌が作り出す酵素ナットウキナーゼの働きによるものである。
酵素ナットウキナーゼは、人の血液中にできる血栓を溶解する作用のあることが知られている。
また、納豆菌はビタミンＫ２を作り出す。
ビタミンＫ２がなければ、カルシウムが骨になり難いことも分かっている。
なお、ビタミンＫ２を含む食品は現在のところ納豆のみである。
次に、薄いしょう油味をつけるためのたれと納豆の臭いを押さえるための辛子とを加え、たれと辛子が全体にむらなく溶けこむまで再びかき混ぜ、下味をつける。
さらに、しっとりとした甘みをつけ粘りを和らげるためのこしあんと適量の水とを加え、全体をよくかき混ぜる。
最後に、全部をミルサー等に入れ、納豆の粒をつぶしかつ全体が均質なクリーム状になるまでかくはんして完成する。
本納豆加工食品は以上のような構成である。
【発明の効果】
【０００５】  本納豆加工食品は、食事時に限らずいつでもどこでも手軽に食べられ、また納豆加工食品とは思えないほど粘りと臭いを押さえることができた。
特に、やや粘りのあるクリーム状の食感やほのかなしょう油味としっとりとしたこしあんの甘みとが溶け合った風味は、子供からお年寄りまで男女を問わず、幅広く、多くの人々に受け入れられることが期待される。
上に述べた効果により、脳梗塞や心筋梗塞といった血栓症の予防、骨粗しょう症の予防、脳の活性化をはじめとする多くの効用を持つ、日本の伝統的健康食品である納豆が、多くの人にとって摂取しやすくなり、予防機能によって、健康維持に貢献することが期待される。
【発明を実施するための最良の形態】
【０００６】  以下、市販されている約５０ｇ入りパック詰め納豆を例に取って、基本的製法を述べることによって、本納豆加工食品の構成を明らかにし、発明の実施の形態について説明する。
以下、納豆とは糸引き納豆を指し、納豆の粒の大きさについては問わないことにする。
納豆を容器にあけて、はし状の２本のかき混ぜ棒を使用して納豆を最低でも、２００回はかき混ぜてネバネバした粘液状物質を生成させる。
この段階をＡとする。
納豆はかき混ぜればかき混ぜるほどうまみ成分と甘み成分が引き出されることが農林水産省の実験の結果明らかになっている。
次に、Ａに薄いしょう油味をつけるためのたれ１ｇ以下と納豆の臭いを押さえるための辛子約１ｇとを加え、たれと辛子が全体にむらなく溶けこむまで再びかき混ぜ、下味をつける。
この段階をＢとする。
たれと辛子は納豆に添付されているものであればどれでも差しつかえない。
さらに、Ｂにしっとりとした甘みをつけ粘りを和らげるためのこしあん約５０ｇと水約６０ｃｃとを加え、全体をよくかき混ぜる。
この段階をＣとする。
最後に、全部をミルサーやジューサー、あるいはブレンダーに入れ、納豆の粒をつぶしかつ全体が淡いあずき色を帯びた均質なクリーム状になるまでかくはんして完成する。
本発明は以上のような構成で、これを食べる時は、おやつとして随時食べたり、ジャム代わりにパンにつけて食べることもできる。
このように、食べる時間も食べ方も自由で、特に制限はない。
【実施例１】
【０００７】  こしあんと水の代わりに甘みをつけたクリーム類を加えてもよい。
【実施例２】
【０００８】  こしあんと水の代わりに甘みをつけた発酵乳を加えてもよい。
【実施例３】
【０００９】  こしあんと水の代わりにアイスクリーム類を加えてもよい。
【実施例４】
【００１０】  こしあんと水の代わりにマヨネーズを加えてもよい。
【実施例５】
【００１１】  こしあんと水の代わりに甘味料を加えたコーヒー浸出液を加えてもよい。
【実施例６】
【００１２】  こしあんと水の代わりに甘味料を加えた紅茶浸出液を加えてもよい。
【実施例７】
【００１３】  こしあんと水の代わりに甘味料を加えたココア煮出液を加えてもよい。
【実施例８】
【００１４】  こしあんと水の代わりに果実飲料を加えてもよい。
【実施例９】
【００１５】  こしあんと水の代わりに甘味料を加えた野菜ジュースを加えてもよい。
【実施例１０】
【００１６】  こしあんの代わりにジャムを加えてもよい。
【実施例１１】
【００１７】  こしあんと水の代わりに甘味料を加えた牛乳を加えてもよい。
【実施例１２】
【００１８】  納豆の粒をつぶす前の段階、Ｃで止めてもよい。
(57)【要約】      （修正有）【課題】植物の細胞壁の構成成分として、セルロース等の成分を結合する天然多糖類ペクチンがある。ペクチンはあらゆる果実や野菜に含まれ、同じ果実や野菜においても、成長段階によっても、含有量は異なる。ペクチンは腸内有用細菌の増殖を促して、腸内の環境を改善する。しかし、未完熟な果物や野菜に含まれるペクチンは連鎖していて水に溶けない状態で、人の体内では吸収できない。通常、果実や野菜の熟成に伴い、ペクチンはバラバラに分解してしまう。ペクチンを高率よく、しかも美味しく、体内に取り込める様にしたジュースの製造方法を提供する。【解決手段】未完熟な果実や野菜を裁断もしくは丸ごと、外部から９０〜３００℃の強火を直接当てて加熱すると、ペクチン連鎖は崩れ、水溶性食物繊維ペクチンに変化する。この状態でジュースにすれば、ペクチンを美味しく、しかも効率良く体内に摂取する事ができる。【選択図】図１
2007306904.tif 000002
【特許請求の範囲】
【請求項１】
果物や野菜を裁断または丸ごと９０〜３００℃の直火で焼いてからジュースにする製造方法。
【発明の詳細な説明】
【特許の詳細な説明】
【技術分野】
【０００１】果実や野菜のジュース製造方法に関するもの。
【従来の技術及び発明の解決しようとする課題】
【０００２】植物の細胞壁の構成成分として、セルロース等の成分を結合する天然多糖類ペクチンがある。ペクチンはあらゆる果物や野菜に含まれ、同果実や野菜においても、成長段階によっても、含有量は異なる。ペクチンは腸内有用細菌の増殖を促して、腸内の環境を改善する。しかし、未完熟な果物や野菜に含まれるペクチンは連鎖していて、水に溶けない状態で、人の体内では吸収できない。通常、果実や野菜の熟成伴いペクチンはバラバラに分解してしまう。ペクチンを高率よく体内に取り込める様にしたい。
【課題が解決しようとする課題】
【０００３】未完熟な果実や野菜に含まれるのペクチンを水溶性にして、食べても美味しい食品を造り、優秀な食物繊維を多く摂取することで、腸内環を改善し、健康維持に役立てる。
【課題を解決するための手段】
【０００４】未完熟な果実や野菜を裁断もしくは丸ごと、外部から９０〜３００℃の強火を直接当てて加熱すると、ペクチン連鎖は崩れ、水溶性食物繊維ペクチンと変化する。この状態でジュースにすれば、ペクチンを効率良く、しかも、美味しく採る事ができる。
【発明の実施と形態】
【０００５】未完熟なりんごをスライスして、直火９０〜３００℃で焼いてから、ミキサーで砕いて、絞ってジュースにした。ジュースは僅かに赤みを帯び、焼かないジュースと比較すると、明らかに粘性が高まり、クチンの含有量が増す事が確認できた。また、芳香と口当たりが良くなった。パイナップル、桃、梨、みかんでも同様の結果が見られた。焼くと果糖が増えて、甘味が増す。このジュース製造方法はアボガド、アンズ、いちご、パイナップル、いちじく、柿、キパイヤ、ビワ、プルーン、マンゴー、ぶどう、梅等の果物の他に、アスパラガス、オクラ、蕪、カボチャ、キャベツ、キュウリ、セロリ、冬瓜、トウモロコシ、とまと、なす等の野菜やじゃがいも、玉葱、ダイコン、生姜、わさび、ごぼう、にんにく、人参、ながいも等の根菜にも応用できる。
【実施例】
【０００６】未完熟なりんごをスライスして、直火９０〜３００℃で焼いてから、ミキサーで砕いて、絞ってジュースにした。ジュースは僅かに赤みを帯び、焼がないジュースと比較すると、明らかに粘性が高まり、ペクチンの増す事が確認できた。また、芳香が増し、旨味が増して、口当たりが良くなった。
【発明の効果】
【０００７】植物の細胞壁の構成成分として、セルロース等の成分を結合する天然多糖類ペクチンはあらゆる果物や野菜に含まれる。このペクチンを水溶性に変えて摂取すれば、腸内有用細菌の増殖が促されて、腸内の環境が改善できる。また、この整腸作用によって、下痢や便秘が予防できる上、発ガン性物質を抑制したり、動脈硬化、心筋梗塞、糖尿病等の効果も期待できる食品となる。
【図面の簡単な説明】
【０００８】
【図１】スライスりんごを焼く焼炉の概略図  ▲１▼焼炉  ▲２▼回転軸  ▲３▼バーナー  ▲４▼網  ▲５▼投入  ▲６▼スライスりんご
【図１】
2007306904.tif 000003
(57)【要約】【課題】  この発明は、数条のテープ状の金属箔をなびかせて、カラスを近付けさせない装置に関するものである。【解決手段】  土台（１）に先端に把手（４）を設けた支柱（２）を立設し、その把手（４）の下部に数条のテープ状の金属箔（３）を取り付ける。【選択図】図１
2007306906.tif 000002
【特許請求の範囲】
【請求項１】
固形物に立設した棒状の先端に把手を取り付け、その下部に数条のテープ状の金属箔の一端を固定して、他端をなびかせるようにした事を特徴とする可搬式カラスよけ装置
【発明の詳細な説明】
【発明の詳細な説明】
この発明は数条のテープ状の金属箔をなびかせて、カラスなどが近寄らないようにしたもので、持ち運びが出来るようにしたものである。
従来家庭などでゴミを指定日に家の前などに出す場合、ゴミ収集車が来るまでにカラスにゴミを食い散らかされて困惑する事が多く、そのためにゴミの上にネットなどを被せてカラスによる被害を防ごうとしているが、ネットの下からカラスが入り込みゴミを食い荒らすことが頻発しており、その効果はあまりあがっていないのが実状である。
本発明はカラスが不規則な反射光を嫌う習性を利用して、カラスを近付けないようにしたもので、持ち運びが出来るものである。
以下にそれを説明する。
（イ）土台（１）に支柱（２）をたてる。土台（１）は全体が倒れないように、底面が平たくて有る程度重量のあるもので、安価なものでよい。
例えばセメント成型品などでよい。また支柱（２）は軽い棒状のものである。
（ロ）支柱（２）の先端に持ち運びに便利なように把手（４）をつける。
（ハ）把手（４）の下にテープ状の金属箔（３）を数本取り付ける。その長さは支柱（２）と同じか少しだけ短くする。
このようにして出来たものを袋などに入れたゴミの近くに立てておけば、テープ状の金属箔（３）がほんのかすかな微風でもなびいてキラキラと不規則な反射光を放つ。
この不規則な反射光をカラスが嫌ってゴミに近付かないため、ゴミが食い荒らされることがなくなる。
ゴミ収集のあと簡単に持ち運んで後かたづけが出来る。
本発明はこのような簡単な方法でカラスにゴミを食い散らかされる被害から解放されるようにしたものである。
【図面の簡単な説明】
【図１】  本発明の立面図
【符号の説明】
１は土台    ２は支柱    ３はテープ状の金属箔    ４は把手
【図１】
2007306906.tif 000003
(57)【要約】【目的】味噌風味のマヨネーズを得る。【構成】マヨネーズに対して、体積比率で５〜９５％、好ましくは２５〜６５％の味噌を添加する事により、両者の良さを合わせ持った風味となる味噌マヨネーズを実現する事ができる。【特許請求の範囲】
【請求項１】
マヨネ−ズに味噌を添加してなる味噌マヨネーズ。
【発明の詳細な説明】
【手続補正書】
【提出日】平成18年9月29日(2006.9.29)
【手続補正３】
【補正対象書類名】明細書
【補正対象項目名】全文
【補正方法】変更
【補正の内容】
【発明の詳細な説明】
(57)【要約】【課題】地紋画像が重なると不都合なオブジェクトを避けて地紋画像を付加することができる印刷システムを提供する。【解決手段】地紋画像作成機能を有するプリンタドライバ１３を備えた印刷システムにおいて、地紋画像の付加範囲を特定する付加範囲特定モジュール１４と、特定された範囲の地紋画像を作成する地紋画像作成モジュール１５とを備えるようにした。例えば３つのオブジェクトのうち、イメージを除いた範囲（文字部分と白紙部分）を付加範囲特定モジュール１４で特定して、その範囲に地紋画像作成モジュール１５で地紋画像を作成し、印刷データと共に地紋画像をプリンタ装置２に送るようにした。【選択図】図１
2007306058.tif 000002
【特許請求の範囲】
【請求項１】
地紋画像作成機能を有するプリンタドライバを備えた印刷システムにおいて、地紋画像の付加範囲を特定する付加範囲特定手段と、特定された範囲の地紋画像を作成する地紋画像作成手段と、を備えたことを特徴とする印刷システム。
【請求項２】
請求項１記載の印刷システムにおいて、前記付加範囲特定手段は、オブジェクトを作成するアプリケーションに設けられていることを特徴とする印刷システム。
【請求項３】
請求項１に記載の印刷システムが動作するコンピュータ読み取り可能なプログラム。
【請求項４】
請求項３記載のプログラムが格納された記録媒体。
【発明の詳細な説明】
【技術分野】
【０００１】
本発明は、ホストコンピュータのアプリケーションで作成された印刷データを、プリンタドライバを介してプリンタ装置に送り印刷する印刷システムに関し、特に地紋画像作成技術に関する。
【背景技術】
【０００２】
用紙に広い範囲で特定のパターン（地紋画像）を付加することのできるプリンタドライバを有する印刷システムが知られている。
なお先行文献としては特許文献１等が挙げられる。
【特許文献１】特開２００５−１４２８３８公報
【発明の開示】
【発明が解決しようとする課題】
【０００３】
上記印刷システムにおいて、印刷対象の文字や画像などが地紋画像と重なると、本来の印刷物である文字や画像が不鮮明になり、明確に把握できない場合があった。
本発明は、地紋画像が重なると不都合なオブジェクトを避けて地紋画像を付加することができる印刷システムを提供することを目的とする。
【課題を解決するための手段】
【０００４】
上記目的を達成するために、請求項１記載の発明は、地紋画像作成機能を有するプリンタドライバを備えた印刷システムにおいて、地紋画像の付加範囲を特定する付加範囲特定手段と、特定された範囲の地紋画像を作成する地紋画像作成手段と、を備えたことを特徴とする。
請求項２記載の発明は、請求項１記載の印刷システムにおいて、前記付加範囲特定手段は、オブジェクトを作成するアプリケーションに設けられていることを特徴とする。
請求項３記載の発明は、請求項１に記載の印刷システムが動作するコンピュータ読み取り可能なプログラムである。
請求項４記載の発明は、請求項３記載のプログラムが格納された記録媒体である。
【発明の効果】
【０００５】
本発明は、地紋画像作成機能を有するプリンタドライバを備えた印刷システムにおいて、地紋画像の付加範囲を特定する付加範囲特定モジュールと、特定された範囲の地紋画像を作成する地紋画像作成モジュールを備えたので、地紋画像が重なると不都合なオブジェクトを避けて地紋画像を付加することができる。
【発明を実施するための最良の形態】
【０００６】
以下、本発明の実施形態を図面に従って説明する。
図１は本発明の第１の実施形態に係る印刷システムの構成図である。本印刷システムはホストコンピュータ１とプリンタ装置２から構成される。
ホストコンピュータ１は、アプリケーション１１、オペレーティングシステム１２、プリンタドライバ１３、付加範囲特定モジュール１４、地紋画像作成モジュール１５を備える。
以下、図２を参照しながら図１の印刷システムの動作を説明する。
プリンタドライバ１３が印刷データをプリンタ装置２に送信する際に、ユーザーインターフェース上などで指定されたオブジェクトの各座標から地紋画像を付加する範囲を特定する。
例えば、図２に示すように、３つのオブジェクトのうち、イメージを除いた範囲（文字部分と白紙部分）を付加範囲特定モジュール１４で特定して、その範囲に地紋画像作成モジュール１５で地紋画像を作成し、印刷データと共に、地紋画像をプリンタ装置２に送る。
【０００７】
図３は本発明の第２の実施形態に係る印刷システムの構成図である。
本印刷システムはホストコンピュータ１とプリンタ装置２から構成される。
ホストコンピュータ１は、アプリケーション１１、オペレーティングシステム１２、プリンタドライバ１３、バーコード作成モジュール１６、地紋画像作成モジュール１５を備える。
以下、図４を参照しながら図３の印刷システムの動作を説明する。プリンタドライバ１３が印刷データをプリンタ装置２に送信する際に、文字や画像などを付加するアプリケーション、この例ではバーコードを付加するユーティリティ（バーコード作成モジュール１６）と連携し、地紋画像を重ねてほしくない範囲を直接指定する。従ってバーコード作成モジュール１６自身が付加範囲特定モジュールの機能を有することになる。
図４に示すように、印刷データは文字とバーコードからなるがバーコード作成モジュール１６でバーコードと重なる地紋画像を避けるように指定する。地紋作成モジュール１５はバーコード部分には地紋画像を作成せず、この例では文字のみに地紋画像を付加する。
【０００８】
図１に示す第１の実施形態の印刷システムにおいても、図３に示す第２の実施形態の印刷システムにおいても、特定のオブジェクトを避けてその他のオブジェクト部分に地紋画像を重ねたり、その他のオブジェクト部分と白紙部分に地紋画像を重ねたり、あるいは特定のオブジェクトだけ地紋画像を重ねるなど、任意の範囲で地紋画像を付加することができる。
なお、本発明は、上述した実施形態のみに限定されたものではない。上述した実施形態を構成する各機能をそれぞれプログラム化し、予めＲＯＭ等の記録媒体に書き込んでおき、これらのプログラムを実行することによって、本発明の目的が達成されることは言うまでもない。この場合、記録媒体から読み出されて実行された状態が上述した実施形態の機能を実現することになり、そのプログラムおよびそのプログラムを記録した記録媒体も本発明を構成することになる。
【図面の簡単な説明】
【０００９】
【図１】本発明の第１の実施形態に係る印刷システムの構成図である。
【図２】第１の実施形態に係る印刷システムによる地紋画像付加の様子を示す説明図である。
【図３】本発明の第２の実施形態に係る印刷システムの構成図である。
【図４】第２の実施形態に係る印刷システムによる地紋画像付加の様子を示す説明図である。
【符号の説明】
【００１０】
１  ホストコンピュータ、１１  アプリケーション、１２  オペレーティングシステム、１３  プリンタドライバ、１４  付加範囲特定モジュール、１５  地紋画像作成モジュール、２  プリンタ装置
【図１】
2007306058.tif 000003
【図２】
2007306058.tif 000004
【図３】
2007306058.tif 000005
【図４】
2007306058.tif 000006